(57)【特許請求の範囲】
【請求項１】
内部に装着空間が形成された外箱、
前記外箱の装着空間に装着される内箱、
前記内箱の内部空間に収容される換気ファン、
前記換気ファンを回転させるモーターを含み、
前記内箱の各内壁面には波状の流路が形成され、
前記内箱の天井面にはスクリュー状の補助流路が形成された
ことを特徴とする換気扇。
【請求項２】
内部に装着空間が形成された外箱、
前記外箱の装着空間に装着される内箱、
前記内箱の内部空間に収容される換気ファン、
前記換気ファンを回転させるモーターを含み、
前記内箱の各内壁面には波状の流路が形成され、
前記外箱と内箱との間に挿入または分離され、内部には前記内箱の内部空間と連結される洗浄水供給空間が形成された供給部、
前記供給部に設置され、前記洗浄水供給空間を通じて内箱の内部空間に洗浄水を注入し、一側にドレンが形成された注入管から構成される洗浄部を含む
ことを特徴とする換気扇。
【請求項３】
前記外箱の内壁面と内箱の外壁面のそれぞれには互いに向き合う形態のパッキングが設置される
請求項１または２に記載の換気扇。
【発明の詳細な説明】
【技術分野】
【０００１】
本発明は換気扇に関するものである。
【背景技術】
【０００２】
一般に換気扇は、室内の汚染した空気を外部に排出させて浄化するものであって、室内の天井や壁面などに設置される。
【０００３】
そして、換気扇は換気扇の持続的な使用によって、換気ファンが設置されるケースの内部空間および換気ファンにはホコリなどの異物が積もるようになるため、室内空気を清潔にするためにはケースおよび換気ファンを周期的に清掃しなければならない。
【０００４】
しかし、一般的に換気扇は、天井や壁面に埋め込まれる方式で設置されるため、天井または壁面から換気扇を分解して清掃した後、再び天井または壁面に組み入れなければならないなど、維持管理が難しい問題点がある。
本発明の先行技術に関連した先行文献としては、特許文献１などがある。
【先行技術文献】
【特許文献】
【０００５】
【特許文献１】大韓民国公開特許公報第１０−２０１５−００４２５１１号
【発明の概要】
【発明が解決しようとする課題】
【０００６】
本発明は前記の従来技術の問題点を解決するために案出されたものであって、建物の室内の天井に設置されたり壁面に設置された状態でも容易に清掃できる換気扇を提供することに、その目的がある。
【課題を解決するための手段】
【０００７】
本発明の第１実施例に係る換気扇は、内部に装着空間が形成された外箱、前記外箱の装着空間に装着される内箱、前記内箱の内部空間に収容される換気ファン、前記換気ファンを回転させるモーターを含み、前記内箱の各内壁面には波状の流路が形成される。
【０００８】
そして、前記内箱の天井面にはスクリュー状の補助流路が形成される。
【０００９】
また、前記外箱と内箱との間に挿入または分離され、内部には前記内箱の内部空間と連結される洗浄水供給空間が形成された供給部、前記供給部に設置されて前記洗浄水供給空間を介して内箱の内部空間に洗浄水を注入し、一側にドレンが形成された注入管から構成される洗浄部を含む。
【００１０】
そして、前記外箱の内壁面と内箱の外壁面のそれぞれには互いに向き合う形態のパッキングが設置される。
【００１１】
一方、本発明の第２実施例に係る換気扇は、一側に換気のための第１換気口が形成され、内部に装着空間が形成された外箱、前記外箱の装着空間に装着されて一側に前記第１換気口と連結される第２換気口が形成された内箱、前記内箱の内部空間に収容される換気ファン、前記換気ファンを回転させるモーター、前記内箱の内壁面に設置されて洗浄水を噴射する多数個の噴射ホールが互いに間隔をあけて形成され、一側が前記内箱の外部に突出する噴射管を含む。
【発明の効果】
【００１２】
本発明に係る換気扇は、建物の室内の天井に埋め込まれたり壁面に設置された状態でも内部が容易に清掃できるため、清潔な使用が可能であり、これによって建物の室内空気を常に快適に維持させ得る効果がある。
【図面の簡単な説明】
【００１３】
【図１】本発明の第１実施例に係る換気扇を図示した斜視図。
【図２】本発明の第１実施例に係る換気扇を図示した分解斜視図。
【図３】本発明の第１実施例に係る換気扇の使用状態を図示した断面図。
【図４】本発明の第２実施例に係る換気扇を図示した結合斜視図。
【図５】本発明の第２実施例に係る換気扇を図示した分解斜視図。
【図６】本発明の第２実施例に係る換気扇に適用された内箱の内部に噴射管が設置された状態を図示した図面。
【図７】本発明の第２実施例に係る換気扇を図示した断面図。
【発明を実施するための形態】
【００１４】
以下、図面を参照して本発明を具体的に説明する。
【００１５】
（第１実施例）
【００１６】
図１は本発明の第１実施例に係る換気扇を図示した斜視図であり、図２は本発明の第１実施例に係る換気扇を図示した分解斜視図、図３は本発明の第１実施例に係る換気扇の使用状態を図示した断面図である。
【００１７】
本発明の第１実施例に係る換気扇１００は、建物の天井に埋め込まれた状態でも内部が容易に清掃できるようにするためのものであって、外箱１１０、内箱１２０、換気ファン１３０、モーター１４０を含む。
【００１８】
前記外箱１１０は天井に埋め込まれるものであって、一定の体積を有する四角形、円形などの多様な形状に形成され得、図面では前記外箱１１０が四角形のボックス状に形成された例を図示した。
【００１９】
前記外箱１１０は、下側が開放され、内部には内箱１２０が装着される装着空間１１０ａが形成される。
【００２０】
前記外箱１１０は、前記開放される部分が地面を向くように天井に埋め込まれ、これと反対の上側面の中央部分には、モーター１４０を設置するための設置ホール１１０ｂが形成される。
【００２１】
このとき、前記外箱１１０の開放された部分には換気ファン１３０の露出を最小化しつつ、使用者を安全に保護できるようにグリル状の遮断膜１７０が設置される。
【００２２】
前記外箱１１０の一側壁には、換気ファン１３０を通じて吸入された室内空気を排出するための排出管１１１が設置される。
【００２３】
前記内箱１２０は一定の体積を有する四角形状に形成され、下側が開放されて内部には換気ファン１３０が収容される内部空間１２０ａが形成される。
【００２４】
前記内箱１２０は、前記開放された部分が地面を向くように外箱１１０の装着空間１１０ａに装着され、これと反対の上側面の中央部分には前記外箱１１０の設置ホール１１０ｂと垂直線上に位置する設置ホール１２０ｂが形成される。
【００２５】
このとき、前記内箱１２０は、その上面が外箱１１０の天井面にボルト結合され得る。
【００２６】
さらに、前記内箱１２０は外箱１１０の装着空間１１０ａよりも小さい大きさを有するように形成されて、内箱１２０の外壁面と外箱１１０の内壁面との間には後述される供給部１５１が挿入され得る空き空間が形成される。
【００２７】
そして、前記内箱１２０の一側壁には、前記外箱１１０の排出管１１１と水平線上に位置する排出ホール１２０ｃが形成される。
【００２８】
すなわち、換気ファン１３０を通じて吸入された室内空気は前記排出ホール１２０ｃと排出管１１１を順に経て排出されるのである。
【００２９】
前記内箱１２０の各内壁面には、波状の流路１２１が垂直の長さ方向に沿って形成される。
【００３０】
前記流路１２１は溝の形態であり、前記内箱１２０の内壁面をプレスでプレスして形成され得る。
【００３１】
そして、前記内箱１２０の天井面には、コイル状の補助流路１２２が形成される。
【００３２】
前記補助流路１２２は溝の形態であり、前記内箱１２０の天井面をプレスでプレスして形成され得る。
【００３３】
前記流路１２１と補助流路１２２は、後述される洗浄水が内箱１２０に均一に分布され得るようにするものであって、具体的な作用は以下で詳しく説明する。
【００３４】
併せて、前記外箱１１０の各内壁面の下側にはパッキング１６０が接着剤等を通して設置され、前記内箱１２０の各外壁面の下側にはさらに他のパッキング１８０が接着剤を通じて設置される。
【００３５】
前記パッキング１６０、１８０は、平常時に互いに向き合って接触した状態を維持して外部のホコリが外箱１１０と内箱１２０との間に流入しないようにする。
【００３６】
そして、前記パッキング１６０、１８０を広げた後、前記外箱１１０と内箱１２０との間に洗浄部１５０を挿入して内箱１２０の内部および換気ファン１３０をきれいに洗浄することができる。
【００３７】
前記洗浄部１５０は、供給部１５１、注入管１５２で構成される。
【００３８】
前記供給部１５１は、上側が開放され、内部には前記内箱１２０の内部空間１２０ａと連結される洗浄水供給空間１５１ａが形成された、四角形のボックス状に形成される。
【００３９】
このとき、前記供給部１５１の形状は、外箱１１０および内箱１２０の形状に応じて変わり得る。
【００４０】
そして、前記供給部１５１の底面は中央部分に向かってテーパー状に形成される。
【００４１】
このような供給部１５１は、上側の一部分が前記外箱１１０と内箱１２０との間に挿入されたり分離され得、挿入時には一部分が前記パッキング１６０、１８０の間で固定した状態をなす。
【００４２】
前記注入管１５２は、一定の長さと周りを有する円形バーまたは四角バー状に形成され得、上側が前記供給部１５１の底面の中央部分に貫通して設置され、底面には管状のドレン１５２１が形成される。
【００４３】
前記換気ファン１３０は、前記内箱１２０の内部空間１２０ａに収容され、後述されるモーター１４０から動力の伝達を受けてそれ自体の位置で回転しながら室内空気を吸入して、排出管１１１を通じて排出されるようにする。
【００４４】
前記モーター１４０は、前記設置ホール１１０ｂ、１２０ｂに貫通設置され、モーター軸は前記換気ファン１３０の中央部分に装着される。
【００４５】
前記モーター１４０は、モーター軸が正方向または逆方向に回転するＤＣモーターまたはＡＣモーターであり得る。
【００４６】
すなわち、前記モーター１４０に電源を印加して換気ファン１３０をそれ自体の位置で回転させると、気圧の差が発生して室内空気を吸入するようになるのである。
【００４７】
このとき、前記モーター１４０は後述される洗浄水が接触しないように防水処理されることが好ましい。
【００４８】
次に、本発明の第１実施例に係る換気扇の作動および、その過程で現れる特有の効果について説明する。
【００４９】
まず、外箱１１０の装着空間１１０ａに内箱１２０を装着し、内箱１２０の空き空間に換気ファン１３０を位置させた後にモーター１４０のモーター軸に換気ファン１３０を装着した後、建物の室内の天井に埋め込む。
【００５０】
このとき、本発明に係る換気扇の埋め込み方法は、一般的な換気扇の埋め込み方法と同じであるため、具体的な説明は省略する。
【００５１】
一方、換気扇１００の持続的な使用によって、内箱１２０の内部空間１２０ａおよび換気ファン１３０にはホコリなどの異物が積もるようになり、このような場合、天井から換気扇１００を分離せずとも洗浄部１５０を通じて内箱１２０の内部空間１２０ａおよび換気ファン１３０に、洗浄水などを容易に供給して清潔に清掃することができる。
【００５２】
具体的には、外箱１１０から遮断膜１７０を分離した後、外箱１１０と内箱１２０との間に供給部１５１の上側部分を挿入する。
【００５３】
前記供給部１５１の上側部分が前記パッキング１６０、１８０の間に固定されることによって、その固定部位が気密を維持するようになり、内箱１２０の内部空間１２０ａに供給された洗浄水が漏れなくなる。
【００５４】
その後、注入管１５２に洗浄水供給装置を連結する。
【００５５】
前記洗浄水供給装置は、内部に洗浄水が貯蔵されている貯蔵タンク、前記貯蔵タンクおよび注入管１５２と連結されるポンプで構成され得る。
【００５６】
すなわち、前記ポンプの作動によって貯蔵タンクに貯蔵された洗浄水が注入管１５２および洗浄水供給空間１５１ａを経て内箱１２０の装着空間１１０ａおよび換気ファン１３０に噴射されて異物を除去するようになるのである。
【００５７】
さらに、前記噴射された洗浄水のうち一部の量は流路１２１と補助流路１２２に沿って流れるようになり、内箱１２０の内壁面と天井面をくまなく経て異物を除去することができ、洗浄水が流路１２１と補助流路１２２によって渦流となることによって速い流速で移動するようになり、内箱１２０の装着空間１１０ａおよび換気ファン１３０を清掃するための時間を短縮することができる。
【００５８】
併せて、前記流路１２１と補助流路１２２は補強リブの機能もするので、内箱１２０の剛性および耐久性を優れさせる。
【００５９】
そして、内箱１２０の装着空間１１０ａおよび換気ファン１３０に噴射された洗浄水は自重によって落下し、供給部１５１の底面が中央部分に向かってテーパー状に形成されることによって、洗浄水がドレン１５２１を介して外部に容易に排出され得る。
【００６０】
一方、前記注入管１５２には洗浄水供給装置の代わりにエアコンプレッサーのような空気供給装置が連結されて、風を通じて前記内箱１２０の装着空間１１０ａおよび換気ファン１３０を清掃することもできることを明らかにする。
【００６１】
以上で説明した本発明の第１実施例に係る換気扇１００は、前述した構成および特有の効果を通じて内箱１２０の内部および換気ファン１３０を頻繁に清掃することができるため清潔な使用が可能であり、これによって建物の室内空気を常に快適に維持することができる。
【００６２】
（第２実施例）
【００６３】
図４は本発明の第２実施例に係る換気扇を図示した結合斜視図であり、図５は本発明の第２実施例に係る換気扇を図示した分解斜視図、図６は本発明の第２実施例に係る換気扇に適用された内箱の内部に噴射管が設置された状態を図示した図面であり、図７は本発明の第２実施例に係る換気扇を図示した断面図である。
【００６４】
本発明の第２実施例に係る換気扇２００は、建物の室内の壁面に設置された状態でも内部が容易に清掃できるようにするためのものであって、外箱２１０、内箱２２０、換気ファン２３０、モーター２４０、噴射管２５０を含む。
【００６５】
前記外箱２１０は建物の室内の壁面に設置されるものであって、一定の体積を有する四角形、円形などの多様な形状に形成され得、図面では前記外箱２１０が四角形のボックス状に形成された例を図示した。
【００６６】
前記外箱２１０は、底面が開放されて内部には内箱２２０が装着される装着空間２１０ｂが形成される。
【００６７】
前記外箱２１０は、前面に換気のための第１換気口２１０ａが一定の直径を有するように形成され、後面の両側にはフランジ２１１が形成されて室内の壁面にボルトなどの固定装置を介して固定される。
【００６８】
このとき、前記外箱２１０の第１換気口２１０ａには使用者を安全に保護できるように遮断膜２６０が設置される。
【００６９】
前記内箱２２０は前記外箱２１０の装着空間２１０ｂに装着されるものであって、一定の体積を有する四角形状に形成され、内部には換気ファン２３０およびモーター２４０が収容される内部空間２２０ａが形成される。
【００７０】
このとき、前記内箱２２０は、その上面が外箱２１０の天井面にボルト結合するか接着剤を通じて結合され得る。
【００７１】
前記内箱２２０は、前面に換気のための第２換気口２００ｂが一定の直径を有するように形成され、前記第２換気口２００ｂと第１換気口２１０ａは互いに連結される形態である。
【００７２】
そして、前記内箱２２０の後面は開放され、前記開放された部分にはルーバー２７０が設置され、建物の室内の壁面には換気扇２００により遮られる通風口が形成される。
【００７３】
すなわち、後述されるモーター２４０と換気ファン２３０を介して吸入した室内空気は、前記ルーバー２７０と通風口を順に経て排出されるのである。
【００７４】
付け加えると、前記外箱２１０と内箱２２０とが接触する部分にはパッキング２８０が設置されて、前記外箱２１０と内箱２２０との間にホコリなどの異物が流入しないようにすることができる。
【００７５】
前記換気ファン２３０は前記内箱２２０の内部空間２２０ａに収容され、背面の中央部分に形成された回転軸２３１の一部分がハウジング２９０の内部空間に貫通した状態で、ベルト（Ｂ）を通じて後述されるモーター２４０と連結される。
【００７６】
前記ハウジング２９０は上側が開放されて内部に空き空間が形成され、上面が前記外箱２１０の上面に固定される。
【００７７】
そして、前記回転軸２３１のうちハウジング２９０の内部に位置した部分にはプーリー（Ｐ２）が装着され、回転軸２３１の終端はハウジングの内部に設置されたベアリング（図示されず）に固定される。
【００７８】
前記モーター２４０は前記外箱２１０の上面に設置され、モーター軸にプーリー（Ｐ１）が装着される。
【００７９】
そして、前記モーター軸に装着されたプーリー（Ｐ１）と回転軸２３１に装着されたプーリー（Ｐ２）は、一つのベルト（Ｂ）を通じて連結される。
【００８０】
本実施例においても、前記モーター２４０はモーター軸が正方向または逆方向に回転するＤＣモーターまたはＡＣモーターであり得、電源が供給されると、ベルト（Ｂ）を介して回転軸２３１に動力が伝達されて換気ファン２３０がそれ自体の位置で回転し、これによって室内空気が吸入されてルーバー２７０と通風口を通じて排出される。
【００８１】
このとき、前記モーター２４０は、後述される洗浄水が接触しないように防水処理されることが好ましい。
【００８２】
前記噴射管２５０は、前記内箱２２０の内部空間２２０ａおよび換気ファン２３０に洗浄水を噴射するための構成である。
【００８３】
前記噴射管２５０は、一側から見た断面の形状が概略「┏┓」の形状に形成されて、前記内箱２２０の内部空間２２０ａに収容された状態でブラケット（図示されず）を通じて内壁面に沿って設置される構造である。
【００８４】
前記噴射管２５０の長さ方向および周方向に沿っては、洗浄水を噴射する多数個の噴射ホール２５０ａが互いに間隔をあけて形成される。
【００８５】
このとき、前記噴射管２５０の一側は、前記内箱２２０の底面を貫いて外部に突出する。前記噴射管２５０の突出した部分には噴射ホール２５０ａが形成されず、第１実施例で説明した洗浄水供給装置または空気供給装置が連結される。
【００８６】
すなわち、洗浄水供給装置または空気供給装置の作動によって噴射管２５０に供給された洗浄水または空気は、前記噴射ホール２５０ａを介して内箱２２０の内部空間２２０ａと換気ファン２３０に噴射されて異物を除去するのである。
【００８７】
このとき、前記内箱２２０の底面にはドレン（図示されず）を追加して設置することによって、内箱２２０の内部空間２２０ａと換気ファン２３０に噴射されてから底面に落下した洗浄水を容易に収集することができる。
【００８８】
以上、本発明を図面に図示された実施例を参照して説明した。しかし、本発明はこれに限定されず、本発明が属する技術分野で通常の知識を有する者によって本発明と均等な範囲に属する多様な変形例または他の実施例が可能である。
【符号の説明】
【００８９】
１００、２００：換気扇
１１０、２１０：外箱
１１０ｂ、１２０ｂ：設置ホール
１１１：排出管
１２０、２２０：内箱
１２０ｃ：排出ホール
１２１：流路
１２２：補助流路
１３０、２３０：換気ファン
１４０、２４０：モーター
１５０：洗浄部
１５１：供給部
１５１ａ：洗浄水供給空間
１５２：注入管
１５２１：ドレン
１６０、１８０、２８０：パッキング
１７０、２６０：遮断膜
２１０ａ：第１換気口
２１１：フランジ
２００ｂ：第２換気口
２３１：回転軸
２５０：噴射管
２５０ａ：噴射ホール
２７０：ルーバー
２９０：ハウジング
【図１】
0006526257.tif 000002
【図２】
0006526257.tif 000003
【図３】
0006526257.tif 000004
【図４】
0006526257.tif 000005
【図５】
0006526257.tif 000006
【図６】
0006526257.tif 000007
【図７】
0006526257.tif 000008